Podtech/llm-jp-corpus-v4-ja_patent huggingface dataset:
(57)【要約】【目的】この考案は自動車の鍵をシリンダー錠から作製する場合に、シリンダー錠を外すことなく、タンブラーの高さを測定する測定装置を開発、提供することにある。【構成】押さえると跡が残る塑性体で出来ており、２つ折りにする為の折れ線（２）と、タンブラー（６）の高さを測る目盛り（３）が記入されているタンブラーセンサー（１）と、タンブラー（６）とタンブラー（６）の間、ａ寸法より広いｂ寸法から成る挿入板（５）とで構成されたタンブラー測定装置をシリンダーに挿入し、タンブラー（６）に押しつけた痕跡を目盛り（３）から読み取ることにより、簡単にタンブラー（６）の高さを測定することが可能となるタンブラー測定装置。【選択図】　図２
0003098393.tif 000002
【実用新案登録請求の範囲】
【請求項１】
自動車のシリンダー錠の合鍵を製作する際に使用する測定器で、押さえると跡が残る塑性体で出来ており、２つ折りにする為の折れ線（２）とタンブラー（６）の高さを測る目盛り（３）が記入されているタンブラーセンサー（１）と、タンブラー（６）とタンブラー（６）の間、ａ寸法より広いｂ寸法から成る挿入板（５）とで構成されたタンブラー測定装置。
【考案の詳細な説明】
【０００１】
【考案の属する技術分野】
この考案はシリンダー錠に於ける、タンブラー測定装置に関するものである。
【０００２】
【従来の技術】
現在、鍵を紛失し自動車のシリンダー錠からの合鍵を製作する場合、まず自動車からシリンダー錠を取り外し、分解し、タンブラー（６）の寸法を測り、その形状に合わせて鍵を加工し作製している。
【０００３】
【考案が解決しようとする課題】
最近の自動車のドアの中には、パワーウィンドやガラスのレール、集中ドアロックなどの部品が所狭しと組み込んであり、その奥のシリンダー錠を外す為に手を入れる隙間が無い位狭くなっており、大変作業しにくい構造になっている、またシリンダー錠を分解し、鍵を作製するには大変な労力と時間を必要としているのが現状である。
【０００４】
そこでこの考案は上記課題を解決する為、自動車からシリンダーを取り外すこと無く、シリンダー錠の中へタンブラーセンサー（１）と挿入板（５）を挿入し、タンブラーセンサー（１）に付いた圧痕（４）を参考に合鍵を作る装置を提供することにある。
【０００５】
【課題を解決する為の手段】
その手段として、塑性体で出来たタンブラーセンサー（１）で、タンブラーセンサー（１）は長手方向の中心で折れ線（２）により、２つ折りに折り曲げられている。又挿入板（５）はタンブラー（６）とタンブラー（６）の間のａ寸法より広いｂ寸法になっている為、シリンダー（７）の中にタンブラーセンサー（１）を挿入し、タンブラーセンサー（１）の間に挿入板（５）を挿入すると、タンブラーセンサー（１）は挿入板（５）によりタンブラー（６）側に押され変形をし、図２の様にタンブラーセンサー（１）に痕跡（４）が付く、タンブラーセンサー（１）には、タンブラー（６）の高さに対応した目盛りが印刷されている為、痕跡（４）により容易にタンブラーの高さを測定することが可能になり、それにより合鍵を製作することが可能となる。
【０００６】
【考案の実施の形態】
次にこの考案の実施例を図１〜図５に基づき詳述すると、跡の付きやすい塑性体で出来たタンブラーセンサー（１）には、図２の様に折れ線（２）が付いている為、長手方向の中心で容易に折り曲げられる構造になっており、またタンブラーセンサー（１）にはタンブラー（６）の高さに対応した目盛り（３）が印刷されている。
【０００７】
又、挿入板（５）は、タンブラー（６）とタンブラー（６）の間、図４のａ寸法より広いｂ寸法から構成され、シリンダー内に挿入しやすい様に先端は面を取った構造になっている。
【０００８】
図４、図５の様にシリンダー（７）にタンブラーセンサー（１）を挿入し、タンブラーセンサー（１）の間に挿入板（５）を挿入すると、挿入板（５）はタンブラー（６）とタンブラー（６）の間のａ寸法より広いｂ寸法になっている為、タンブラーセンサー（１）は挿入板（５）に押されて変形をし、図２の様に痕跡（４）が残る、この痕跡（４）と目盛り（３）からタンブラー（６）の合鍵を加工する寸法を読みとり、合鍵を製作することが可能となる。
【０００９】
【考案の効果】
タンブラーセンサー（１）と挿入板（５）をシリンダー錠に挿入し、タンブラーセンサー（１）についた痕跡（４）によりタンブラー（６）の高さが測定出来る為、シリンダー錠を外す事無く、合鍵を作ることが出来る。
【００１０】
【図面の簡単な説明】
【図１】この考案の一実施例を示し、平面図である。
【図２】この考案の一実施例を示し、タンブラーセンサー（１）を折れ線（２）で折り曲げ、タンブラー（６）の痕跡（４）が付いた状態図である。
【図３】一般的なタンブラー（６）が内蔵された、シリンダー（７）の見取り図である。
【図４】この考案の使用状態を示し、シリンダー軸方向の断面図である。
【図５】この考案の使用状態を示し、シリンダーと垂直方向の断面図である。
【符号の説明】
（１）タンブラーセンサー
（２）折れ線
（３）目盛り
（４）痕跡
（５）挿入板
（６）タンブラー
（７）シリンダー
（８）スプリング
（９）外筒
【図１】
0003098393.tif 000003
【図２】
0003098393.tif 000004
【図３】
0003098393.tif 000005
【図４】
0003098393.tif 000006
【図５】
0003098393.tif 000007
(57)【要約】【目的】より快適な睡眠を得るために、従来の枕カバーに加えて頭を寒さから、あたたかく守り、帰宅時間がまばらで就寝時に照明をつけられる不快感を帽子が防ぎ、少々の雑音も帽子が防ぐ、又、花粉症の季節に、鼻の乾燥も防ぐための枕カバー。【構成】枕の枕カバー１の外側に帽子２をつけたものである。【選択図】図１
0003098399.tif 000002
【実用新案登録請求の範囲】
【請求項１】
１　枕（１）に帽子（２）つけた枕カバー
【考案の詳細な説明】
【０００１】
［産業上の利用分野］
この考案は、枕のカバーの形の改色に関するものである。
【０００２】
［従来の技術］　従来、枕カバーは枕を汚さないためだけのものであった。
【０００３】
考案が解決しようとする課題　したがって、枕を汚さないようにするだけでしかなかった枕カバーをより快適な睡眠深い眠りを取れるように枕カバーに帽子をつけることで、頭を寒さから、あたたかく守り、帰宅時間がまばらで就寝時に照明をつけられる不快感を防ぐ。
本考案は、それらの欠点を除くために考案したものである。
【０００４】
［課題を解決するための手段］
本考案を図面について説明すれば枕の枕カバー１の外側に帽子２をつけたものである。
【０００５】
作用
本考案は、以上のような構成であるから、就寝時に、枕カバーについている帽子２に頭を入れるとよい。
【０００６】
［考案の効果］
すると、より快適な睡眠を寒さから防ぎ、あたたかく守り、帰宅時間がまばらで就寝時に照明をつけられる不快感を帽子２が防ぎ、少々の雑音も帽子２が防ぐ、又、花粉症の季節に、鼻の乾燥も防ぐ。
【図面の簡単な説明】
【図１】本考案の側面図
【図２】従来の枕カバーの側面図
【符号の説明】
１．枕カバー
２．帽子
【図１】
0003098399.tif 000003
【図２】
0003098399.tif 000004
【手続補正書】
【提出日】平成15年5月3日(2003.5.3)
【手続補正１】
【補正対象書類名】明細書
【補正対象項目名】実用新案登録請求の範囲
【補正方法】変更
【補正の内容】
【実用新案登録請求の範囲】
【請求項１】
枕カバーの外側に帽子を縫い付けたもの
【考案の詳細な説明】
【０００１】
［産業上の利用分野］
この考案は、枕のカバーの形の改色に関するものである。
【０００２】
［従来の技術］　従来、枕カバーは枕を汚さないためだけのものであった。
【０００３】
考案が解決しようとする課題　したがって、枕を汚さないようにするだけでしかなかった枕カバーをより快適な睡眠深い眠りを取れるように枕カバーに帽子をつけることで、頭を寒さから、あたたかく守り、帰宅時間がまばらで就寝時に照明をつけられる不快感を防ぐ。
本考案は、それらの欠点を除くために考案したものである。
【０００４】
［課題を解決するための手段］
本考案を図面について説明すれば枕カバーの外側に帽子の片側をつけたものである。
【０００５】
作用
本考案は、以上のような構成であるから、就寝時に、枕カバーについている帽子に頭を入れるとよい。
【０００６】
［考案の効果］
すると、より快適な睡眠を寒さから防ぎ、あたたかく守り、帰宅時間がまばらで就寝時に照明をつけられる不快感を帽子が防ぎ、少々の雑音も帽子が防ぐ。
【図面の簡単な説明】
【図１】本考案の側面図
【符号の説明】
１．枕カバー
２．帽子
【図面】
0003098399.tif 000005
(57)【要約】【課題】得点板の裏側にも得点が表示できるめくり型得点板である。【解決する手段】得点板のチーム名を表示する黒板を両面黒板にすることと、得点表示の裏側の数字を、表の数字に１プラスした数字を印刷しておくことにより、得点板の後ろの席からでも、競技中の得点の動きを容易に知ることができる便利な表裏活用のめくり型の得点板である。【選択図】　　図２
0003098391.tif 000002
【実用新案登録請求の範囲】
【請求項１】
得点板の裏側からも、競技中の両チームの得点がわかるようにするため、得点表示めくり布の裏にも数字を印刷した表裏活用のめくり型得点板。
【請求項２】
得点板の裏側からも、競技中の両チームの得点がわかるようにするため、チーム名を表示する黒板を両面黒板とした表裏活用のめくり型得点板。
【考案の詳細な説明】
【０００１】
【この考案の用途】
この考案は、得点板のめくり布の裏にも数字を印刷することと、チーム名を表示する黒板を両面黒板にすることによって、得点板の裏側からも、競技中の得点状況がわかるようにした表裏活用のめくり型得点板である。
【０００２】
【考案が解決しようとする課題】
従来の得点板では、裏側にはチーム名が表示されていないことと、得点を表示するめくり布に、数字が表側だけにしか印刷されていないため、得点板の裏側の席からは、競技中の得点を見ることができず、得点板の裏側の席のものにとっては大変不便であった。
【０００３】
【課題を解決するための手段】
本考案は、これらの欠点を除くために、得点板のチーム名表示の黒板を両面にすることと、めくり布の裏側にも数字を印刷することによって、このような不便を解消できるようにした大変便利な得点板である。
【０００４】
【考案の効果】
本考案の得点板は、一の位及び十の位のそれぞれの１０枚のめくり布の数字の表側には従来通り、１枚目から０，１，２，３，４，５，６，７，８，９の数字を印刷しておき、それらの数字布の裏側に、それぞれ１ずつずらして、１，２，３，４，５，６，７，８，９，０を、印刷しておく。（すなわち、０の裏に１、１の裏に２、２の裏に３というように裏の数字は、表の数字に１プラスした数字を印刷しておく）。そうすることによって、得点が０点から１点になるとき、０の数字布を１枚めくると、表の得点は２枚目の１が表示され、裏面は、０の布の裏面に印刷されている１が表示されることになる。１点から２点になるときは、表の１をめくると、表の得点は、３枚目の２が表示され、裏側は１の布の裏面に印刷されている２が表示されることになる。
さらに、チーム名を両面黒板によって表裏に表示することによって、得点板の裏側の席からも、競技中のチーム得点の状況がよくわかるという利点がある。。
【０００５】
【考案の工夫】
本考案は、得点が一桁の場合は完璧であるが、得点が二桁になると、一の位の数字と十の位の数字が逆になる欠点が生じる。その欠点を補うために、めくり布の表の数字の色を黒で印刷し、裏の数字の色を赤で印刷する。さらには、表から見て十の位のめくり布の裏側の赤の数字の上部に、右から左に向けて矢印（←）を付けておき、裏面の得点は、逆から読み取るよう注意を喚起するような工夫をしておけば、親切である。
【図面の簡単な説明】
【図１】本考案の得点盤を表側から見た正面図である。（７対１３の場合）
【図２】本考案の得点盤を裏側から見た斜視図である。（７対１３の場合）
【図３】本考案と従来の得点板を裏側から比較した斜視図である。
【図４ａ，４ｂ，４ｃ，４ｄ】本考案の得点表示のめくり布の数字の印刷の仕方を示す図である。
【図４ａ】めくり布の表側の一の位の数字である。
【図４ｂ】めくり布の裏側の一の位の数字である。
【図４ｃ】めくり布の表側の十の位の数字である。
【図４ｄ】めくり布の裏側の十の位の数字である。
【符号の説明】
１　得点表示のめくり布
２　チーム名を表示する両面黒板
【図１】
0003098391.tif 000003
【図２】
0003098391.tif 000004
【図３】
0003098391.tif 000005
【図４ａ】
0003098391.tif 000006
【図４ｂ】
0003098391.tif 000007
【図４ｃ】
0003098391.tif 000008
【図４ｄ】
0003098391.tif 000009
(57)【要約】【目的】この考案は、洗たく器の中に、おさえ具を入れて、おし洗いでよごれをおとそうとする洗たく器に関するものである。【構成】洗たく器（９）の上部に、クランクシャフト（３）を固定具（６）でとりつけてモーター（２）で、歯車（８）を回して、上下運動させて、でんたつ棒（５）でおさえ具（１）を、上下運動させて、下部にあるせんたく物（４）と水をおして水にげスキマ（７）から水をにがしてやりおし洗いする。そして、固定具（６）と、でんたつ棒クランクシャフト固定部（１０）で、固定ピン（１）、止めピン固定具（１２）でとりはずす。【選択図】　図１
0003098397.tif 000002
【実用新案登録請求の範囲】
【請求項１】
洗たく器におさえ具を使用して、モーターでクランクシャフトを回転させて上下運動で、おし洗いをする。
【考案の詳細な説明】
この考案は、洗たく器におさえ具をとりつけて、クランクシャフトをモーターで回転させて、上下運動でおし洗いをするといったものである。
従来のせんたく器は、水の回転で、よごれをあらっていました、そして衣類がいたまないようにと水の回転もよわくなってしまいよごれもおちませんでした。本案は、このような欠点を除くために考案されたもので、これを図面について説明すれば、洗たく器（９）の上部にクランクシャフト（３）を固定具（６）でとりつけてモーター（２）で歯車（８）を回して上下運動させて、でんたつ棒（５）でおさえ具（１）を上下運動させて、下部にあるせんたく物（４）と水をおして、水にげスキマ（７）から水をにがしてやりおし洗いする。そして、固定具（６）と、でんたつ棒クランクシャフト固定部（１０）で固定ピン（１１）、止めピン固定具（１２）で、とりはずす。このようにすれば衣類もいためず、節水にもなります。
【図面の簡単な説明】
【図１】本案の正面図
【図２】本案の上面図
【図３】本案の図中（６）の拡大図
【図４】本案の図中（１０）の拡大図
【符号の説明】
１はおさえ具、２はモーター、３はクランクシャフト、４はせんたく物
５はでんたつ棒、６は固定具、７は水にげスキマ、８は歯車、９は洗たく器
１０はでんたつ棒クランクシャフト固定部、１１は固定ピン、
１２は止めピン固定具
【図１】
0003098397.tif 000003
【図２】
0003098397.tif 000004
【図３】
0003098397.tif 000005
【図４】
0003098397.tif 000006
【手続補正書】
【提出日】平成15年4月1日(2003.4.1)
【手続補正３】
【補正対象書類名】明細書
【補正対象項目名】実用新案登録請求の範囲
【補正方法】変更
【補正の内容】
【実用新案登録請求の範囲】
【請求項１】
洗たく器に、取りはずしのできるおさえ具を固定止め具と固定ピンで固定して、モーターから４５°歯車で、クランクシヤフト４５°歯車にゆるやかに回して、上下運動させて、おさえ具が下がれば、水にげスキマから水がぬけて、その圧縮力で、あらい、すすぎをする。おし洗い節水洗たく器。
【手続補正書】
【提出日】平成15年6月26日(2003.6.26)
【手続補正１】
【補正対象書類名】明細書
【補正対象項目名】実用新案登録請求の範囲
【補正方法】変更
【補正の内容】
【実用新案登録請求の範囲】
【請求項１】
先たく器の中に取りはずしのできる円形おさえ具を入れて、上部に、取りはずしのできるクランクシャフトを、固定具、ピンで固定して、片側に４５°歯車を取りつけて、モーター側４５°歯車でゆるやかにクランクシャフトを回転させて、まん中に固定具、ピンで固定した、でんたつ棒で、円形おさえ具を上下運動させて、下がればスキマから水がにげて、その圧縮水でよごれをおとす、おし洗い節水洗たく器。
【手続補正書】
【提出日】平成15年4月19日(2003.4.19)
【手続補正１】
【補正対象書類名】図面
【補正対象項目名】全図
【補正方法】変更
【補正の内容】
【図１】
0003098397.tif 000007
【図２】
0003098397.tif 000008
【図３】
0003098397.tif 000009
【図４】
0003098397.tif 000010
(57)【要約】【課題】携帯に便利で、身体に有効な刺激を与えることができるマッサージ器具を提供する。【解決手段】マッサージ器具１は、木材または樹脂等の絶縁材からなる円柱棒２の周面であって、横断面を周方向に略四等分箇所に金属ピン３を突設する。これら一列に並べられた金属ピン３は、長手方向に沿って略等間隔で複数列配置するとともに、長手方向に相隣接する列のものを周方向に約４５度ずらして配置してある。金属ピン３は、異種金属で成形したもの３ａ，３ｂを円柱棒２の横断面の周方向に対して交互に配置する。【選択図】　図１
0003098106.tif 000002
【実用新案登録請求の範囲】
【請求項１】
円柱棒の周面であって、横断面を周方向に略等分する箇所に金属ピンを突設するとともに、これら一列に並べられた金属ピンを長手方向に沿って略等間隔で複数列配置し、長手方向に相隣接する列の金属ピンを互いに周方向に約半ピッチずらして配置したことを特徴とするマッサージ器具。
【請求項２】
上記金属ピンの横断面周方向に対する配置が略４等分であることを特徴とする請求項１に記載のマッサージ器具。
【請求項３】
上記金属ピンは、異種金属で成形したものを円柱棒横断面の周方向に対して交互に配置する一方、長手方向に相隣接する列間において、この配置を周方向に約半ピッチずらし、上記円柱棒を絶縁材で構成したことを特徴とする請求項１または請求項２に記載のマッサージ器具。
【請求項４】
上記金属ピンの先端を略半球面に形成したことを特徴とする請求項１から請求項３のうちの１項に記載のマッサージ器具。
【考案の詳細な説明】
【０００１】
【考案の属する技術分野】
本考案は携帯型のマッサージ器具に関するものである。
【０００２】
【従来の技術】
この種のマッサージ器具には、モータで振動させたローラを身体に押し付ける電動式のものと、多数の突起を備えた棒体で身体を擦る手動式のものがある。
【０００３】
【考案が解決しようとする課題】
しかし、前者のマッサージ器具は寸法が大きく、携帯に不便である一方、後者のマッサージ器具は身体に有効な刺激を与えにくいという欠点がある。
【０００４】
本考案は、このような事情に鑑みなされたもので、携帯に便利で、身体に有効な刺激を与えることができるマッサージ器具を提供することを目的とする。
【０００５】
【課題を解決するための手段】
上記課題を解決するため、本考案のマッサージ器具は、円柱棒の周面であって、横断面を周方向に略等分する箇所に金属ピンを突設するとともに、これら一列に並べられた金属ピンを長手方向に沿って略等間隔で複数列配置し、長手方向に相隣接する列の金属ピンを互いに周方向に約半ピッチずらして配置してある。
【０００６】
上記金属ピンの横断面周方向に対する配置は略４等分であるのが好ましい。
【０００７】
上記金属ピンは、異種金属で成形したものを円柱棒横断面の周方向に対して交互に配置する一方、長手方向に相隣接する列間において、この配置を周方向に約半ピッチずらし、上記円柱棒を絶縁材で構成するのが好ましい。
【０００８】
上記金属ピンの先端は略半球面に形成するのが好ましい。
【０００９】
【考案の実施の形態】
以下、本考案の実施の形態について添付図面を参照しながら説明する。
図１と図２は本考案の実施形態に係るマッサージ器具を示している。
このマッサージ器具１は、図１に示すように、木材または樹脂等の絶縁材からなる円柱棒２の周面に金属ピン３を多数突設してある。各金属ピン３の先端は略半球面に形成してあり、その基端部は円柱棒２に接着、埋め込み等の種々の方法で固定することができる。また、円柱棒２は中実または中空のいずれであってもよい。なお、円柱棒２は、直径２０〜３０ｍｍ、長さ１００ミリ以上のものが好ましい。
【００１０】
金属ピン３は、円柱棒２の周面であって、横断面を周方向に略四等分する箇所に配置してある。これら一列に並べられた金属ピン３は、長手方向に沿って略等間隔で複数列配置するとともに、長手方向に相隣接する列の金属ピン３を周方向に約４５度（約半ピッチ）ずらして配置してある。なお、当然のことであるが、金属ピン３の配置は製作誤差を含むものとする。
【００１１】
つまり、このマッサージ器具１を端面側から見ると、金属ピン３が円柱棒２の周方向に約４５度のピッチで配置されているのが判る（図２参照）。なお、金属ピン３は、長手方向に相隣接する列間隔を１５〜２５ミリ、直径を３〜８ミリ、先端の曲率半径を１．５〜４ミリ、円柱棒２からの突出量を４〜１０ミリにするのが好ましい。
【００１２】
金属ピン３は、異種金属で成形したものを円柱棒２の横断面の周方向に対して交互に配置する一方、長手方向に相隣接する列間において、この配置を周方向に対して約４５度ずらしてある。つまり、金属ピン３の同じ配置が長手方向に対して四列置きに現れることになる。よって、このマッサージ器具１を端面から見ると、異種金属で成形したものが周方向に対して２個１組で交互に配置されているのが判る。なお、図において金属の種類は符号３ａ，３ｂで示してある。使用する金属の種類としては、アルミニウム、真鍮、銅、銀、金などが好ましい。なお、円柱棒２の両端面にも異種の金属ピン３ａ，３ｂを突設してある。
【００１３】
このマッサージ器具１は、使用に際しては、円柱棒２の端部を握り、金属ピン３を身体表面に押し付けて２〜３ミリへこませ、円柱棒２を長手方向に往復動させて身体表面を擦ることになるが、金属ピン３を以上のように配置してあるため、円柱棒２の握り方や擦り方に係わらず、身体に有効な刺激を与えることができる。この結果、筋肉のもみほぐし効果と筋肉中の老廃物排出効果が得られる。さらに、金属ピン３が身体表面に接触して熱を奪うので、筋肉と血管の引き締め効果が得られる。また、金属ピン３による押圧が開放された後の血液流入の繰り返しによって、老廃物の排出が促進されることになる。
【００１４】
金属ピン３は、異種類（イオン化傾向の異なる）の金属で成形したものを横断面の周方向に対して交互に配置してあるので、身体表面に押し付けられた際、身体表面の汗と接触してイオン化する。その際、異種の金属ピン３の間で電位差が生じ、身体表面に微小電流が流れて皮膚等を引き締めるという効果もある。
【００１５】
【考案の効果】
以上のように、本考案のマッサージ器具は、円柱棒の周面であって、横断面を周方向に略等分する箇所に金属ピンを突設するとともに、これら一列に並べられた金属ピンを長手方向に沿って略等間隔で複数列配置し、長手方向に相隣接する列の金属ピンを互いに周方向に約半ピッチずらして配置してあるので、円柱棒の握り方や擦り方に係わらず、身体に有効な刺激を与えることができる。
【図面の簡単な説明】
【図１】本考案の実施の形態に係るマッサージ器具の正面図である。
【図２】図１に示すマッサージ器具の側面図である。
【符号の説明】
１　マッサージ器具
２　円柱棒
３（３ａ，３ｂ）　金属ピン
【図１】
0003098106.tif 000003
【図２】
0003098106.tif 000004
(57)【要約】　　　（修正有）【課題】数枚の用紙を手早く、段違いなしで能率良く止めることができる用紙ストッパー付きホッチキスを提供する。【解決手段】用紙ストッパー２を粘着テープ、接着剤、カシメなどでホッチキス針カシメ台３の近くにとめたもの。【選択図】　　　図１
0003098114.tif 000002
【実用新案登録請求の範囲】
【請求項１】
コの字型ストッパー（２）を付けたホッチキス。
【考案の詳細な説明】
【０００１】
【考案の属する技術分野】
この考案は、ホッチキスに用紙ストッパーをつけたものである。
【０００２】
【従来の技術】
従来、用紙ストッパーの可変式ホッチキスはあるが、高価である。
【０００３】
【考案が解決しようとする課題】
これは、次のような欠点があった。
数枚の用紙をホッチキスで止めるには、段違いになったりして、止める奥行き、幅もまちまちとなり物差しで印を付けないと美しく止めれなく時間もかかった。
本考案は、これらの欠点を除くためになされたものである。
【０００４】
【問題を解決するための手段】
ホッチキス本体（１）のホッチキス針カシメ台（３）の近くに、用紙ストッパー（２）を粘着テープ、接着剤、カシメにてとめる。
【０００５】
【考案の実施の形態】
以上の構造であるから、用紙を止めるには簡単である。
【０００６】
【考案の効果】
したがって、用紙ストッパー（２）を付けたため、用紙は深く奥に入らず又ずれることなく簡単に、美しく止める事が出来る。
【図面の簡単な説明】
【図１】本考案を付けた斜視図である。
【図２】本考案の斜視図である。
【符号の説明】
１　ホッチキス本体　　　　２　用紙ストッパー
３　ホッチキス針カシメ台
【図１】
0003098114.tif 000003
【図２】
0003098114.tif 000004
(57)【要約】　　　（修正有）【課題】洗浄効果に加えて、遊興性やインテリア性を兼備した玩具入りの石けんの提供。【解決手段】外殻を形成する固形石けん１の内部に玩具２を収容して、玩具入り石けんとする。【選択図】図１
0003098119.tif 000002
【実用新案登録請求の範囲】
【請求項１】
外殻を形成する固形石けんの内部に、玩具を収容してなることを特徴とする玩具入り石けん。
【請求項２】
石けんが透明石けんであることを特徴とする、請求項１記載の玩具入り石けん。
【請求項３】
石けんがヒアルロン酸またはヒアルロン酸誘導体を含有することを特徴とする、請求項１または請求項２記載の玩具入り石けん。
【考案の詳細な説明】
【０００１】
【考案の属する技術分野】
本考案は、石けん本来の洗浄効果に加えて遊興性およびインテリア性を兼備した、玩具入りの石けんに関するものである。
【０００２】
【従来の技術】
石けんは手指、顔、身体等を洗浄することを主目的とした実用商品であり、遊興性、インテリア性についてはあまり考慮されることがなかった。このため、幼児などは石けんを用いて身体を洗浄することを嫌がることがあった。石けん自体を、遊興性、インテリア性を考慮した形状に成形した商品も多数販売されているが、石けんは使用するにつれて形状が崩れてしまうため有効な解決策とはいえない。
【０００３】
【考案が解決しようとする課題】
石けんによる洗浄を嫌がる幼児が、長期間に渡り楽しみながら身体洗浄できる、遊興性に富んだ石けんを提供することを目的とする。
【０００４】
【課題を解決するための手段】
本考案は、下記構成（１）〜（３）を有する。
（１）外殻を形成する固形石けんの内部に、玩具を収容してなることを特徴とする玩具入り石けん。
【０００５】
（２）石けんが透明石けんであることを特徴とする、前記第１項記載の玩具入り石けん。
【０００６】
（３）石けんがヒアルロン酸またはヒアルロン酸誘導体を含有することを特徴とする、前記第１項または前記第２項記載の玩具入り石けん。
【０００７】
【考案の作用】
本考案の石けんを使用すると、幼児が内部に収容した玩具に興味を示して、楽しみながらかつ積極的に身体洗浄ができる。
【０００８】
本考案の石けんに用いる石けんは固形石けんであれば、組成、色、形状は特に限定されないが、石けんに透明石けんを使用して収容玩具がよく見える構造とすれば、幼児の興味をより強く引きつけることができる。また、大人では洗浄目的に止まらず、インテリア、飾り物としても該石けんに魅力、価値を感じることから、付加価値の高い商品となる。
【０００９】
石けんにヒアルロン酸、ヒアルロン酸ナトリウムなどのヒアルロン酸誘導体を配合することにより、肌の弱い幼児でも安心して使用できる石けんを提供することができる。
【００１０】
【実施例】
以下、この考案を具体化した一実施例を図面に基づいて説明する。
【００１１】
図１はこの実施例の玩具入り石けんの上面図であり、１は玩具入り石けんの外殻であり、２は収容玩具である。
【００１２】
図２はこの実施例の玩具入り石けんの側面図であり、１は玩具入り石けんの外殻であり、２は収容玩具である。
【００１３】
本実施例では玩具に自動車（幼稚園通園バスの縮小模型）を収容した例を示したが、収容する玩具はマンガ、テレビアニメーション、映画のキャラクターや、テレビタレントを模した人形、あるいは動物、飛行機、船等の模型等々、特に限定されるものではない。玩具の材質および形状は特に限定されないが、洗浄に使用するうちに外殻の石けんが減じて玩具の一部が露出してくることを考慮すると、プラスチック、ゴム等軟質の部材からなるものが好ましく、金属、硬質プラスチック等堅い部材の場合は、肌を傷つけないよう突起等がない形状であることが好ましい。
【００１４】
【考案の効果】
本考案の石けんの使用により、幼児については楽しみながらかつ積極的に身体洗浄ができる。また、大人に対してはインテリア、飾り物としての魅力、価値をも感じることができる。
【図面の簡単な説明】
【図１】本考案の玩具入り石けんの上面図である。
【図２】本考案の玩具入り石けんの側面図である。
【符号の説明】
１　石けんの外殻
２　収容玩具（例：幼稚園通園バスの縮小模型）
【図１】
0003098119.tif 000003
【図２】
0003098119.tif 000004
(57)【要約】【課題】相互に連結される浮体ブロックの波動その他の移動を阻止することのできる浮体コンクリートブロックの連結装置を提供する。【解決手段】相互に連結しようとする浮体コンクリートブロックＢ１、Ｂ２の隣接する側壁１４に近接して上部を開放することができるようにし、−方の側壁に開口を有する箱部材１６を埋設したことと、前記箱部材１６の開口にタイロープ２０を通して前記箱部材１６の対向する側壁１８、１９に固定したことと、前記浮体コンクリートブロックＢ１、Ｂ２の対向する側壁１８、１９に前記隣接する浮体の相互移動を阻止する部材１２を固定し、前記タイロープ２０を密封したこととから成る。【選択図】　　　　　図１
0003098113.tif 000002
【実用新案登録請求の範囲】
【請求項１】
相互に連結しようとする浮体コンクリートブロック（Ｂ１，Ｂ２）の隣接する側壁（１４）に近接して上部が開放する箱部材（１６，１７）を埋設し、前記箱部材（１６，１７）の対向する側壁（１８，１９）の中央部に開口（２１）を設け、前記開口（２１）に弾性体の管状防護カバー（２６）に通したタイロープ（２０）を通し、前記タイロープ（２０）の前記管状防護カバー（２６）より突出する両端部を前記箱部材（１６，１７）の内側から閉塞する座金状の板体（２４）を用いてナット（２２）により前記箱部材（１６，１７）に固定し、前記タイロープ（２０）の前記管状防護カバー（２６）内の部分を外部から完全に遮断するようにして成る浮体コンクリートブロックの連結装置。
【考案の詳細な説明】
【０００１】
【考案の属する技術分野】
この考案は浮体コンクリートブロックの連結装置、より詳しく述べると、浮き桟橋などを構成するために複数個の浮体コンクリートブロックを相互に連結する装置に関する。
【０００２】
【従来の技術】
水面上に浮き桟橋として、あるいは泥沼の表面などの軟弱な地盤の表面に通路等を構成するために、例えば発泡スチロール等の浮体を芯材にし、その周囲をコンクリートで被覆して単体のブロックに構成し、これら複数個のブロックを相互に連結して配置する。
【０００３】
この種の浮体コンクリートブロックを連結して設置すると、波浪あるいは加重などの外力によって、連結されている各個の浮体ブロックが、それぞれ各自別個に移動しようとするために、その連結部分に引っ張り、圧縮、あるいは捻れ等を招き、また連結部分の金属材料は、海水等の作用によって早期に腐食するために防水あるいは耐腐食性の手段を講ずる必要があり、また時に応じて補修あるいは交換しなければならない。
【０００４】
従来技術として、例えば、平成５年実用新案出願公告第２６４４号に開示のポンツーン同士の連結装置は、隣接するポンツーンの対向する側壁に箱体を埋設して、これら両側壁と両箱体とを貫通する締結具からなる連結体を設け、この連結体の中間部をワイヤで構成し、前記ワイヤを筒形状の単一の弾性体でカバーするようにして成るものを開示している。
【０００５】
また、特許第２，９２６，４６２号公報に記載されている浮体コンクリートブロックの連結装置は、相互に連結しようとする浮体コンクリートブロックをワイヤロープで連結するもので、そのワイヤロープを浮体コンクリートブロックの隣接する側壁間で外部に露出させたことを特徴とする装置を開示するものである。
【０００６】
【考案が解決しようとする課題】
ところで、前記実用新案出願公告に記載の連結装置は、相互に連結される浮体ブロックの波動その他の移動により、最も破損するおそれのあるワイヤロープの部分を容易に交換することができないという課題があり、また前記特許公報に記載の連結装置は、最も破損するおそれのあるワイヤロープが外部に露出しているために、海水あるいは雨水に曝されて損傷を早める危険がある等の問題点を残している。
【０００７】
これらの問題点を考慮して、この考案の主目的は、相互に連結される浮体ブロックの波動その他の移動を阻止し、最も破損しやすいタイロープを外部から遮断するために密封して成る浮体コンクリートブロックの連結装置を提供することにある。
【０００８】
この考案のさらに目的とするところは、最も破損するおそれのある連結部分の点検と交換とが極めて容易で、経済的な浮体コンクリートブロックの連結装置を提供することにある。
【０００９】
【考案の実施の態様】
この考案を図面について詳細に説明する。図１は長手方向に伸長し相互に連結しようとする浮体コンクリートブロックＢ１とＢ２と、連結装置１０及び両ブロックＢ１とＢ２の移動を阻止する部材１２とを示す平面図である。
【００１０】
コンクリートブロックＢ１およびＢ２は従来公知の形式のものであって、それぞれ隣接する対向側壁１４に近接するブロックの内部に、上方が開放することができるようにした箱部材１６，１７が埋設してあり、両箱部材１６，１７のそれぞれの対向する側壁１８，１９には弾性体の管状防護カバー２６を取り付けたタイロープ２０の管状防護カバー２６から露出する端部を固定する。そのために、側壁１８，１９にはタイロープ２０の露出端を挿入する開口２１が設けてある。
【００１１】
タイロープ２０の露出端を箱部材１６，１７の開口２１を通してナット２２によって固定するのに先立って、側壁１８，１９の開口２１を内側から閉塞し、管状防護カバー２６の内部を密封する座金状の板体２４を配置し、次いでナット２２を挿入して締め付ける。
【００１２】
【考案の効果】
この考案の浮体コンクリートブロックの連結装置１０は、以上に詳細に述べたところから自明であるように、構造が極めて簡単で、現場において浮体を連結する作業が容易に行うことができ、連結した後に、外部に露出して海水等にさらされて損傷しやすいタイロープ２０は密封されるので、外部から完全に遮断され保守することができる。
【図面の簡単な説明】
【図１】この考案の浮体コンクリートブロックの連結装置を説明するために、浮体の一部を切り欠いて要部を示す平面図である。
【図２】図１の線ＩＩ−ＩＩに沿い矢印方向に見た側面図である。
【符号の説明】
Ｂ１，Ｂ２　浮体コンクリートブロック
１０　　　　連結装置
１２　　　　移動阻止部材
１４　　　　側壁
１６，１７　箱部材
１８，１９　対向側壁
２０　　　　タイロープ
２１　　　　開口
２２　　　　ナット
２４　　　　座金状の板体
２６　　　　管状防護カバー
【図１】
0003098113.tif 000003
【図２】
0003098113.tif 000004
(57)【要約】　　　（修正有）【課題】従来のバネ式は、使用不能のペットボトルが多い、また水漏れする折り曲げ式は、ボトルの口から引っ張り出すのが困難、不潔浮力付ストローは、固定式かつ他容器へ使用不可であった。【解決手段】ストローに五円玉状コルクの浮揚器を付ける事により、課題を解決した。【選択図】　　図１
0003098163.tif 000002
【実用新案登録請求の範囲】
【請求項１】
ストローに浮揚器をつけることにより浮揚する方法
【考案の詳細な説明】
【考案の属する技術分野】
ペットボトルの水を飲むストローに関する技術
【従来の技術】
バネ式と折り曲げ式およびストロー一体型浮力付
【考案が解決しようとする課題】
バネ式は、ボトルにより使用不能が多い、折り曲げ式は、つまみ出すのが大変
浮力つきのものは、他へ流用出来ない
【課題を解決する為の手段】
ストローに浮揚器を装着、浮揚させる
【考案の実施の形態】
ストローに浮力の有るものを装着する
【実施例】
コルクを五円玉状に作り、その穴にストローを差し込む
【考案の効果】
壊れないことと、すぐ飛び出すこと、使い捨ての為清潔
【図面の簡単な説明】
【図１】浮揚器の形状（コルク使用の時）
【図２】装着時の状態
【図３】ボトルに入れた時とフタを締めた時の状態
【図１】
0003098163.tif 000003
【図２】
0003098163.tif 000004
【図３】
0003098163.tif 000005
【手続補正書】
【提出日】平成15年6月17日(2003.6.17)
【手続補正１】
【補正対象書類名】明細書
【補正対象項目名】実用新案登録請求の範囲
【補正方法】変更
【補正の内容】
【実用新案登録請求の範囲】
【請求項１】
・ストローに装着可能な穴を有し、水に浮く素材からなる浮揚器
(57)【要約】　　　（修正有）【課題】香点火をスムーズに行い車内で香が使用できるようにする。【解決手段】穴４の内側に香点火に必要な熱を集めれるように熱線部を設ける。香点火時には香ライター２を車体側差込口に押し込み香点火に必要な熱が集まった時に香を穴４に入れ点火する。香点火後は香の灰が車内灰皿に落ちるように設けた香台３に香をたてる。【選択図】　　図１
0003098166.tif 000002
【実用新案登録請求の範囲】
【請求項１】
香点火ライター付香台の香ライター中央部に香点火に必要な穴を設け香点火をスムーズに行うことを特徴とする香点火ライター付香台。
【請求項２】
香点火後の灰を車内灰皿に落とせるように設けたことを特徴とする香点火ライター付香台。
【考案の詳細な説明】
【０００１】
【考案の属する技術分野】
本考案は香を焚くための香点火ライター及び香台に関するものである。
【０００２】
【従来の技術】
従来、香は火が点きにくいという問題点があり、屋内での使用を前提としていたため車内での使用は困難であった。
【０００３】
【考案が解決しようとする課題】
解決しようとする問題点は香の車内での使用、香点火時の時間短縮である。
【０００４】
【課題を解決するための手段】
上記目的を達成するために香ライター先端部に香を差し込む穴４を設け、香点火時に穴４に香を入れスムーズに点火し、車内灰皿に香の灰が落下するように設置した香台３に香を設置できるようにした。
【０００５】
【考案の実施の形態】
以下、本考案の一実施例の香点火ライター付香台を図１ないし図４に基づいて説明する。
【０００６】
【実施例】
図１において、香ライターの中央部には穴４が設けられおりその穴の内側最後部に香点火用の熱線部２が形成されている。
【０００７】
図２は上記に示した熱線部５の断面図であり図４の車体側差込口６に押しこむによって熱線部５に香点火に必要な熱を集めるように形成されている。
【０００８】
上記に示したように香に点火した後、香台３に香をたて車内灰皿に香の灰が落ちるように形成されている。
【０００９】
【考案の効果】
このようにすれば香を車内で使用することでき点火もスムーズになり、点火後の香の灰を灰皿に落とすことが可能である。
【図面の簡単な説明】
【図１】本考案の一実施例の香点火ライター付香台を示す斜面図である。
【図２】同香点火ライター付香台の熱線部を示す断面図である。
【図３】同香点火ライター付香台本体を示す正面図である。
【図４】同香点火ライター付香台の車体側を示す側面図である。
【符号の説明】
１　香点火ライター付香台
２　香ライター
３　香台
４　穴
５　熱線部
６　車体側差込口
【図１】
0003098166.tif 000003
【図２】
0003098166.tif 000004
【図３】
0003098166.tif 000005
【図４】
0003098166.tif 000006
【手続補正書】
【提出日】平成15年5月20日(2003.5.20)
【手続補正１】
【補正対象書類名】明細書
【補正対象項目名】全文
【補正方法】変更
【補正の内容】
【考案の詳細な説明】
【実用新案登録請求の範囲】
【請求項１】香点火ライターの中央部には穴４が設けられておりその穴の内側最後部に香点火用の熱線部５が形成されている香点火ライター付香台。
【請求項２】香点火後の灰を車内灰皿に落とせるよう香台を設けたことを特徴とする請求項１記載の香点火ライター付香台。
【考案の詳細な説明】
【０００１】
【考案の属する技術分野】
本考案は香を焚くために必要な熱を集める装置（以下これを香点火ライターと呼ぶ）及び香台に関するものである。
【０００２】
【従来の技術】
従来、香は火が点きにくいという問題点があり、屋内で使用を前提としていたため車内での使用は困難であった。
【０００３】
【考案が解決しようとする課題】
解決しようとする問題点は香の車内での使用、香点火時の時間短縮である。
【０００４】
【課題を解決するための手段】
上記目的を達成するために香点火ライター先端部に香を差し込む穴４を設け、香点火時に穴４に香を入れスムーズに点火し、車内灰皿に香の灰が落下する位置に設置した香台３に香を設置できるようにした。
【０００５】
【考案の実施の形態】
以下、本考案の一実施例の香点火ライター付香台を図１ないし図４に基づいて説明する。
【０００６】
【実施例】
図１において、香点火ライターの中央部には穴４が設けられておりその穴の内側最後部に香点火用の熱線部５が形成されている。
【０００７】
図２は上記に示した熱線部５の断面図であり図４の車体側差込口６に押しこむことによって熱線部５に香点火に必要な熱を集めるように形成されている。
【０００８】
上記に示したように香に点火した後、香台３に香をたて車内灰皿に香の灰が落ちるように形成されている。
【０００９】
【考案の効果】
このようにすれば香を車内で使用することができ点火もスムーズになり、香点火後の灰を灰皿に落とすことが可能である。
【図面の簡単な説明】
【図１】本考案の一実施例の香点火ライター付香台を示す斜面図である。
【図２】香点火ライター付香台の熱線部を示す断面図である。
【図３】香点火ライター付香台本体を示す正面図である。
【図４】香点火ライター付香台の車体側を示す側面図である。
【符号の説明】
１　香点火ライター付香台
２　香点火ライター
３　香台
４　穴
５　熱線部
６　車体側差込口
(57)【要約】　　　（修正有）【課題】凹凸面やザラ面に対しても強力かつ耐久的に吸着し、反復脱着も容易な高機能の吸盤を提供する。【解決手段】吸着面を形成する部分１が吸盤本体２より軟質かつ乾燥粘着性のエラストマーから成る吸盤にする。また、吸盤本体の吸着面に脱着する吸盤本体より軟質かつ乾燥粘着性のエラストマーシートと、吸盤本体との、セットより成る吸盤とする。【選択図】　　図１
0003098169.tif 000002
【実用新案登録請求の範囲】
【請求項１】
吸着面を形成する部分が吸盤本体より軟質かつ乾燥粘着性のエラストマーから成る吸盤であることを特徴とする高機能吸盤。
【請求項２】
吸盤本体の吸着面に脱着する吸盤本体より軟質かつ乾燥粘着性のエラストマーシートと、吸盤本体との、セットより成ることを特徴とする高機能吸盤。
【考案の詳細な説明】
【０００１】
【考案の属する技術分野】
この考案は、通常の吸盤では無理な非平滑面や凹凸面に対しても強力に吸着する高機能（性能）の吸盤に関する。
【０００２】
【従来の技術】
いわゆる吸盤は簡単に脱着できる止具として従来よりよく知られているものであるが、吸着させる対象面が凹凸の全くない平滑面である必要がある。ところが実際にはそのような対象面が都合良く備わっているいる場合はむしろ少ないために、予め平滑に形成した補助板をこれに添付して使用させる場合が多い。
【０００３】
一方、そのような添付板を要することなく凹凸面やザラ面にも吸着するような吸盤の提案もなされている。例えば、吸盤の吸着面の全面または中心を囲む輪状の箇所に、シリコーンハウジングパテのようなダイラタンシー現象を起こす材料を固着ないし付着させる手段がある。このダイラタンシー現象とは、ゆっくり変形させるとあたかも粘性流体のように可塑的に変形し、叩くような変形速度ではガラスのような剛性を示すものであるから、このような性質をもつパテ状物が吸盤の吸着面にあれば、若干の凹凸面であっても押圧によりそのパテ状物が変形して隈無く対象面に密着し、吸盤機能に必要な真空状態の維持が長時間にわたってなされるというわけである（例えば、技術文献１参照）。
【０００４】
【技術文献１】特開平８−３１２６３０
【０００５】
また、吸盤の吸着面において、中心部に粘着剤を付着させるとともに、その外側外周部にペースト状のシール材を輪状に付着させる提案もある。これはシール材の塑性変形により凹凸面の隙間を埋めるとともに、横ずれを防ぐ摩擦力を粘着材により補うというものである（例えば、技術文献２参照）。
【０００６】
【技術文献２】特開２０００−３０４０２７
【０００７】
【考案が解決しようとする課題】
上記のような従来の各種手段は、たとえ補助板を要することなく凹凸面に吸着できるにしても、ひとたび吸着させると今度は剥離が甚だ困難となり、また度重なる反復使用にも無理があり、更に製造プロセスがやや複雑となってコスト高となるため、特殊な用途を除き普及に難点がある。本考案はかかる現状から、一層シンプルな形態で凹凸面やザラ面にも強固に吸着し、反復使用がし易いハイグレートな汎用吸盤を提供することを課題とする。
【０００８】
【課題を解決するための手段】
上記課題を解決するために本考案では、従来の吸盤がいずれも同一材質のエラストマーで形成されていたのを改め、吸着面を形成する部分とそれ以外の部分（本願では便宜上、吸盤本体と称する）とを互いに物性の異なる異種のエラストマーで形成させるものとする。
【０００９】
すなわち、吸着面を形成する部分１が吸盤本体２より軟質かつ乾燥粘着性のエラストマーから成るように形成して、本考案の高機能吸盤とする。
【００１０】
ここでいう乾燥粘着性とは、いわゆる粘着剤のような流動性ないし可塑性をもつ半液状材料とは異なり、軟らかいものの完全固体であって、材料の移動ないし移行を全く起こないにもかかわらず、表面に高度の粘着性を有するもののことであり、ある種の成型用シリコーンゴムや特殊なスチレン系エラストマーなどがそのような性質をもっている。
【００１１】
また上記の乾燥粘着性のエラストマーは、通常の吸盤を構成するエラストマーよりはるかに軟質グレードのものが既に各種製品化されており、特にスチレン系エラストマーの場合は射出成型も可能である。
【００１２】
なお上記の軟質かつ乾燥粘着性のエラストマーは、図１のように吸盤本体１の湾曲した内面に密着積層させることも十分可能であるが、これを別部品として、吸盤本体１の吸着面に脱着する更に軟質かつ乾燥粘着性のエラストマーシート状のものと、吸盤本体１との、セットより成る図２のような形態にすることもできる。この際、シート状の乾燥粘着性エラストマーは、保護シート３を剥がして吸盤本体１の吸着面に装着されるので、実質的に吸着面を形成する部分１となる。
【００１３】
【作用】
このような構成の本考案の吸盤を、例えば図３のように細かい凹凸面をもつ被吸着物４に吸着させる場合、吸盤の吸着面を形成する部分１は特に軟質なエラストマーから成るので、細かい凹凸面に合わせた形状にその表面を変形させつつ密着すると同時に、その乾燥粘着性により材料の移動を伴うことなく密着状態を長時間にわたり維持する。従って吸盤の内側に空気が流入する余地が全く無く、凹凸ないしザラ面であるにもかかわらず高度の真空維持機能すなわち吸盤機能を発揮することになる。また被吸着物４が平滑な場合は在来の吸盤より遥かに強力かつ耐久的なものになることは勿論である。なお、吸盤本体１は在来通りの材質でよいから十分に腰のあるエラストマーが使用でき、実用上の支障になることは全くない。
【００１４】
【考案の実施の形態】
ＪＩＳ−Ｋ６２５３による硬度約１５のエラストマーからなる在来の吸盤を吸盤本体２として用意し、別に特殊グレードである同硬度１のスチレン系熱可塑性エラストマー（商品名セプトンコンパウンド：クラレプラスチックＫ．Ｋ製）を厚さ約２ｍｍで吸盤本体２の吸着面より若干大きい円形シート状に射出成形して、後者を吸盤本体２の吸着面に押し当て密着させる。この円形シートは平板状であるにもかかわらず甚だ伸びが良くて乾燥粘着性があるから、湾曲面にも皺や波をうつことなく隈無く密着して一体化し、その円形シート部を吸着面を形成する部分１とする本考案の高機能吸盤を得る。この吸盤を用いて凹凸差０．３ｍｍのエンボス模様ガラス表面に吸着させたところ、長時間にわたり完全に吸盤としての機能を果すことが確認された。またスリガラスは勿論のこと、平滑面においても在来吸盤よりはるかに強力かつ耐久的な吸着力を発揮するものとなった。
【００１５】
【考案の効果】
このように本考案によれば、構造がシンプルでパテなどを要することなく凹凸面やザラ面にも強力に吸着させることができ、平滑面にも一層強度や耐久性を発揮し、しかも反復脱着が容易で対象面を損なわないなどの効果がある。
【図面の簡単な説明】
【図１】本考案一形態の断面図
【図２】本考案別形態の断面図
【図３】本考案の使用状態を示す断面図
【符号の説明】
１……吸着面を形成する部分
２……吸盤本体
３……保護シート
４……被吸着物
【図１】
0003098169.tif 000003
【図２】
0003098169.tif 000004
【図３】
0003098169.tif 000005
(57)【要約】【課題】コロナウィルスによる急性肺炎や多くの空中浮遊菌による疾病対策と悪臭や有機物を分解するマスクで、薬品を用いずに長期間伝染予防を維持できる事を提供する【解決手段】微粒子状酸化チタン（１）と微粒子状銀メタル（２）を定着した繊維を素材にした銀フィルター（３）からなる事を特徴とする抗菌マスク【選択図】図１
0003098165.tif 000002
【実用新案登録請求の範囲】
【請求項１】
微粒子状酸化チタン（１）と微粒子状銀メタル（２）を定着した繊維を素材にした銀フィルター（３）からなる事を特徴とする抗菌マスク
【請求項２】
従来のマスク（４）の中に微粒子状酸化チタン（１）と微粒子状銀メタル（２）を定着した銀フィルター（３）を設けてなる請求項１の抗菌マスク
【考案の詳細な説明】
【０００１】
【考案の属する技術分野】
この考案は結核菌やＭＲＳＡ、レジオネラ菌、コロナウィルス、大腸菌Ｏ−１５７等の空中浮遊害菌を抗菌するマスクに関するものである。
【０００２】
【従来の技術】
微細メッシュや活性炭を入れた抗菌マスクがあった。
【０００３】
【考案が解決しようとする課題】
これには次のような問題があった。
悪臭の吸着、粉塵や菌の侵入防御にはなるが、臭い分子を含む有機物の分解や害菌の殺菌力が無く、有機物が菌の餌となり、菌の繁殖地となってしまう。
呼吸する口元や鼻の前に沢山の菌とホルムアルデヒドなどの毒素、有機化合物を溜め込むことになり、飽和すれば一気に体内に引き込む可能性がある。
本考案は、以上の問題を解決するために考案されたものである。
【０００４】
【課題を解決するための手段】
微粒子状酸化チタン（１）と微粒子状銀メタル（２）を定着した繊維を素材にした銀フィルター（３）からなるマスクやそのフィルターを内部に装着した事を特徴とする抗菌マスク
【０００５】
【考案の実施の形態】
以下、本考案の実施の形態を説明する。
光触媒作用を持つ直径５ｎｍの酸化チタン（１）と微粒子状銀メタルセラミクス（２）とを定着焼成させ、微光でも効率よく有機物を二酸化炭素と水に分解し、抗菌、脱臭作用をする銀フィルター（３）を素材として作った抗菌マスク。
本考案は以上の様な構成で本考案を使用する時は、通常マスクと同様に使用する。
【０００６】
【考案の効果】
マイナスイオンと遠赤外線を放出し、抗菌効果と防カビ効果及びアンモニア、アセトアルデヒド、硫化メチル、トリメチルアミンなどの悪臭、有機物分解及び浄化作用をする光触媒作用を持つ直径７ｎｍの酸化チタン（１）に銀粒子（２）を定着焼成させた銀フィルター（３）は、光触媒よりも強い抗菌作用を持ち、接触抗菌する。
銀フィルター（３）では９５％捕獲し１００％殺菌する。光触媒作用により銀フィルター（３）に残った菌死骸や水道にも含有するトキシン類を分解除去する。安全性は日本食品分析センター毒性試験と高分子素材センターによる食品衛生法溶出試験に合格した材料であり、一切の薬品を使わないで瞬時に沢山の抗菌が出来る接触抗菌型装置である。ＭＲＳＡやレジオネラ菌、緑膿菌や結核菌等の多くの害菌が接触により死滅する事が確認されているフィルター素材の抗菌マスクである。その為、ＳＡＲＳ急性肺炎を起こすとされるコロナウィルスに対しても強い抗菌効果が望め、光触媒作用により汚れにくい有機物の汚れを分解する効果もある。
【図面の簡単な説明】
【図１】本考案の請求項１の構成図
【図２】本考案の請求項２を示す分解斜視図
【符号の説明】
１　　酸化チタン
２　　銀メタル
３　　銀フィルター
４　　マスク
【図１】
0003098165.tif 000003
【図２】
0003098165.tif 000004
【手続補正書】
【提出日】平成15年7月4日(2003.7.4)
【手続補正１】
【補正対象書類名】明細書
【補正対象項目名】実用新案登録請求の範囲
【補正方法】変更
【補正の内容】
【実用新案登録請求の範囲】
【請求項１】
微粒子状酸化チタン（１）と微粒子状銀メタル（２）を定着した繊維を素材にした銀フィルター（３）からなる事を特徴とする抗菌マスク
【請求項２】
マスク（４）の中に微粒子状酸化チタン（１）と微粒子状銀メタル（２）を定着した銀フィルター（３）を設けてなる請求項１の抗菌マスク